(57)【要約】【課題】  複数の記録又は再生層を有する光ディスクを記録又は再生する装置において、他の層からの光の反射がノイズとなって、所望の記録又は再生層から得られた信号に迷い込み、装置の性能が劣化する。【解決手段】  光ディスクからの反射光に基づいて光学機構のフォーカス制御およびトラッキング制御を行う装置において、フォーカス誤差信号検出手段とフォーカス系迷光検出手段とを備え、各手段より得られる信号を演算することで他の層からのフォーカス系の迷光成分を除去しフォーカス制御を行い、また、トラッキング誤差信号検出手段とトラッキング系迷光検出手段とを備え、各手段より得られる信号を演算することで他の層からのトラッキング系の迷光成分を除去しトラッキング制御を行う。【選択図】  図７
2009116934.tif 000002
【特許請求の範囲】
【請求項１】
複数の記録又は再生層を有する光ディスクに記録又は再生を行う光ディスク装置おいて、
前記光ディスクの各層に対してレーザ光を集光させる対物レンズを含む光学機構と、
前記対物レンズにより集光した前記レーザ光の前記光ディスクからの反射光に基づいて受光信号を生成する光検出器と、
前記対物レンズを前記光ディスクの垂直方向であるフォーカス方向に駆動するフォーカスアクチュエータと、
前記光検出器における受光信号に基づいて、各層における合焦点位置と実際の位置とのフォーカス方向の誤差であるフォーカス誤差信号を生成するフォーカス誤差信号検出手段と、
前記フォーカス誤差信号に基づいて他の層からのフォーカス系迷光信号を生成するフォーカス系迷光検出手段と、
前記フォーカス誤差信号と前記フォーカス系迷光信号とを演算し、前記光学機構が所望の層に焦点を合わせるように前記フォーカスアクチュエータを制御するためのフォーカス制御信号を生成するフォーカス制御手段とを備えること特徴とする光ディスク装置。
【請求項２】
請求項１に記載の光ディスク装置おいて、
前記光学機構は、前記対物レンズを介して前記光ディスクの各層に１つもしくは複数の光スポットを生成し、
前記光検出器は、前記光ディスクのメイン光スポットの反射光に基づいてメイン受光信号を生成し、また、前記光ディスクのサブ光スポットの反射光に基づいてサブ受光信号を生成し、
前記フォーカス誤差信号検出手段は、前記メイン受光信号と前記サブ受光信号を演算することで前記フォーカス誤差信号を生成し、
前記フォーカス系迷光検出手段は、前記メイン受光信号と前記サブ受光信号に基づいて他の層からのフォーカス系迷光信号を生成することを特徴とする光ディスク装置。
【請求項３】
請求項１又は請求項２に記載の光ディスク装置おいて、
前記光ディスクを回転させるディスクモータと、
該ディスクモータの回転角に対応した信号を生成する回転周波数発生手段とを備え、
前記フォーカス誤差信号検出手段は、前記回転周波数発生手段より出力された信号に基づいて前記フォーカス誤差信号を生成し、
前記フォーカス系迷光検出手段は、前記回転周波数発生手段より出力された信号に基づいて前記フォーカス系迷光信号を生成し、
前記フォーカス制御手段は、前記回転周波数発生手段より出力された信号に基づき、前記フォーカス誤差信号と前記フォーカス系迷光信号とを演算することを特徴とする光ディスク装置。
【請求項４】
請求項３に記載の光ディスク装置において、
前記フォーカス系迷光検出手段は、前記回転周波数発生手段より出力された信号に対する迷光信号用メモリを備え、前記回転周波数発生手段より出力された信号に基づいて前記フォーカス系迷光信号を生成して前記迷光信号用メモリに保存し、
前記フォーカス制御手段は、前記回転周波数発生手段より出力された信号に基づき、前記フォーカス誤差信号と前記迷光信号用メモリに保存された信号とを演算することを特徴とする光ディスク装置。
【請求項５】
請求項３に記載の光ディスク装置において、
前記回転周波数発生手段は、前記ディスクモータの回転角を逓倍した信号を生成することを特徴とする光ディスク装置。
【請求項６】
複数の記録又は再生層を有する光ディスクに記録又は再生を行う光ディスク装置おいて、
前記光ディスクの各層に対してレーザ光を集光させる対物レンズを含む光学機構と、
前記対物レンズにより集光した前記レーザ光の前記光ディスクからの反射光に基づいて受光信号を生成する光検出器と、
前記対物レンズを前記光ディスクの半径方向であるトラッキング方向に駆動するトラッキングアクチュエータと、
前記光検出器における受光信号に基づいて、各層におけるトラック追従位置と実際の位置とのトラッキング方向の誤差であるトラッキング誤差信号を検出するトラッキング誤差信号検出手段と、
前記トラッキング誤差信号に基づいて他の層からのトラッキング系迷光信号を検出するトラッキング系迷光検出手段と、
前記トラッキング誤差信号と前記トラッキング系迷光信号とを演算し、前記光学機構が所望のトラックを追従するように前記トラッキングアクチュエータを制御するためのトラッキング制御信号を生成するトラッキング制御手段とを備えること特徴とする光ディスク装置。
【請求項７】
請求項６に記載の光ディスク装置おいて、
前記光学機構は、前記対物レンズを介して前記光ディスクの各層に１つもしくは複数の光スポットを生成し、
前記光検出器は、前記光ディスクのメイン光スポットの反射光に基づいてメイン受光信号を生成し、また、前記光ディスクのサブ光スポットの反射光に基づいてサブ受光信号を生成し、
前記トラッキング誤差信号検出手段は、前記メイン受光信号と前記サブ受光信号を演算することで前記トラッキング誤差信号を生成し、
前記トラッキング系迷光検出手段は、前記メイン受光信号と前記サブ受光信号に基づいて他の層からのトラッキング系迷光信号を生成することを特徴とする光ディスク装置。
【請求項８】
請求項６又は請求項７に記載の光ディスク装置おいて、
前記光ディスクを回転させるディスクモータと、
該ディスクモータの回転角に対応した信号を生成する回転周波数発生手段とを備え、
前記トラッキング誤差信号検出手段は、前記回転周波数発生手段より出力された信号に基づいて前記トラッキング誤差信号を生成し、
前記トラッキング系迷光検出手段は、前記回転周波数発生手段より出力された信号に基づいて前記トラッキング系迷光信号を生成し、
前記トラッキング制御手段は、前記回転周波数発生手段より出力された信号に基づき、前記トラッキング誤差信号と前記トラッキング系迷光信号とを演算することを特徴とする光ディスク装置。
【請求項９】
請求項８に記載の光ディスク装置において、
前記トラッキング系迷光検出手段は、前記回転周波数発生手段より出力された信号に対する迷光信号用メモリを備え、前記回転周波数発生手段より出力された信号に基づいて前記トラッキング系迷光信号を生成して前記迷光信号用メモリに保存し、
前記トラッキング制御手段は、前記回転周波数発生手段より出力された信号に基づき、前記トラッキング誤差信号と前記迷光信号用メモリに保存された信号とを演算することを特徴とする光ディスク装置。
【請求項１０】
請求項８に記載の光ディスク装置において、
前記回転周波数発生手段は、前記ディスクモータの回転角を逓倍した信号を生成することを特徴とする光ディスク装置。
【発明の詳細な説明】
【技術分野】
【０００１】
本発明は、複数の記録又は再生層を有する光ディスクに対して記録又は再生を行う光ディスク装置に関する。
【背景技術】
【０００２】
近年の映像情報やコンピュータデータ等の大容量化に伴い、それらを保存する光ディスク媒体として、ＣＤやＤＶＤよりも高記録密度の媒体であるＢｌｕ−ｒａｙ ＤｉｓｃやＨＤ ＤＶＤなどのディスクの開発と、それらのディスクに対して情報の記録又は再生を行う光ディスク装置の開発が行われている。
【０００３】
Ｂｌｕ−ｒａｙ ＤｉｓｃやＨＤ ＤＶＤでは、ＤＶＤよりも記録密度を上げるために記録面上の光スポット径は小さくなり、ＤＶＤと比較しておよそ半分になっている。また、現在、Ｂｌｕ−ｒａｙ Ｄｉｓｃでは５０ＧＢ、ＨＤ ＤＶＤにおいては３０ＧＢの２層の記録又は再生層を持つディスクが市販されており、記録又は再生層の層間距離は、Ｂｌｕ−ｒａｙ Ｄｉｓｃでは２５μｍ、ＨＤ ＤＶＤにおいては１５μｍとなり、従来のＤＶＤの５５μｍと比較しても非常に狭くなっている。
【０００４】
今後は、さらなる大容量化を目的として３層以上の記録又は再生層を持った更に高密度の多層ディスクの開発と、多層ディスクに情報の記録又は再生を行うことが可能な装置の行われることが予測される。
【０００５】
一方、複数の記録又は再生層を備えた光ディスクに関する従来技術として、例えば特許文献１によれば、目的の記録層からの反射光を集光して再生信号を検出する際に、収束した光束の周りに含まれる層間クロストーク信号を再生信号検出用受光部の周りに具備された層間クロストーク検出受光部で検出し、再生信号と差動演算することにより、層間クロストークをキャンセルする技術が提案されている。
【０００６】
【特許文献１】特開２００２−３１９１７７号公報
【発明の開示】
【発明が解決しようとする課題】
【０００７】
ここで、高密度の多層ディスクでは、記録面上の光スポット径が小さくなり、また、層が幾つも重なり合うことと層間距離が狭くなることによって、他の層からの光の反射による影響が無視できなくなる。このため、多層ディスクに情報を記録又は再生を行う装置においては、他の層からの反射光がノイズとなって、実際の記録又は再生層から得られた信号に迷い込むことが考えられ、これにより装置の記録又は再生時の性能が劣化する。
【０００８】
また、高密度の多層ディスクに対して、複数の光スポットを利用することにより光ピックアップのサーボ制御を行う装置では、図１１に示すようにメイン光スポットに対してサブ光スポットの光量は小さいために、光検出器において特にサブ光スポットからの受光信号は不要光の影響を受けやすくなる。これにより、装置では安定したサーボ制御を行うことが難しくなる。
【０００９】
光ディスクからの反射光に基づいて光学機構のフォーカス制御およびトラッキング制御を行う装置においては、複数の記録又は再生層を持つ光ディスクに対して正確に記録又は再生を行うことができるように、他の層からのフォーカス系の迷光成分およびトラッキング系の迷光成分を除去する手段を備えた装置を提供することが課題である。
【課題を解決するための手段】
【００１０】
本発明における光ディスク装置は、複数の記録又は再生層を有する光ディスクに記録又は再生を行い、光ディスクの各層に対してレーザ光を集光させる対物レンズを含む光学機構と、対物レンズにより集光したレーザ光の光ディスクからの反射光に基づいて受光信号を生成する光検出器と、対物レンズを光ディスクの垂直方向（以下、フォーカス方向と記す。）に駆動するフォーカスアクチュエータと、光検出器における受光信号に基づいて、各層における合焦点位置と実際の位置とのフォーカス方向の誤差であるフォーカス誤差信号を生成するフォーカス誤差信号検出手段と、フォーカス誤差信号に基づいて他の層からのフォーカス系迷光信号を生成するフォーカス系迷光検出手段とを備える。
【００１１】
また、光学機構は、対物レンズを介して光ディスクの各層に複数の光スポットを生成し、光検出器は、光ディスクのメイン光スポットの反射光に基づいてメイン受光信号を生成し、サブ光スポットの反射光に基づいてサブ受光信号を生成し、フォーカス誤差信号検出手段は、メイン受光信号とサブ受光信号を演算することでフォーカス誤差信号を生成し、フォーカス系迷光検出手段は、メイン受光信号とサブ受光信号に基づいて他の層からのフォーカス系迷光信号を生成する。
【００１２】
一方、対物レンズを光ディスクの半径方向（以下、トラッキング方向と記す。）に駆動するトラッキングアクチュエータと、光検出器における受光信号に基づいて、各層におけるトラック追従位置と実際の位置とのトラッキング方向の誤差であるトラッキング誤差信号を検出するトラッキング誤差信号検出手段と、トラッキング誤差信号に基づいて他の層からのトラッキング系迷光信号を検出するトラッキング系迷光検出手段と、トラッキング誤差信号とトラッキング系迷光信号とを演算し、光学機構が所望のトラックを追従するようにトラッキングアクチュエータを制御するためのトラッキング制御信号を生成するトラッキング制御手段とを備える。
【００１３】
また、光学機構は、対物レンズを介して光ディスクの各層に１つもしくは複数の光スポットを生成し、光検出器は、光ディスクのメイン光スポットの反射光に基づいてメイン受光信号を生成し、また、光ディスクのサブ光スポットの反射光に基づいてサブ受光信号を生成し、トラッキング誤差信号検出手段は、メイン受光信号とサブ受光信号を演算することでトラッキング誤差信号を生成し、トラッキング系迷光検出手段は、メイン受光信号とサブ受光信号に基づいて他の層からのトラッキング系迷光信号を生成する。
【００１４】
さらに、光ディスクを回転させるディスクモータと、ディスクモータの回転角に対応した信号を生成する回転周波数発生手段とを備え、フォーカス誤差信号検出手段は、回転周波数発生手段より出力された信号に基づいてフォーカス誤差信号を生成し、フォーカス系迷光検出手段は、回転周波数発生手段より出力された信号に基づいて前記フォーカス系迷光信号を生成し、トラッキング誤差信号検出手段は、回転周波数発生手段より出力された信号に基づいてトラッキング誤差信号を検出し、トラッキング系迷光検出手段は、回転周波数発生手段より出力された信号に基づいてトラッキング系迷光信号を検出する。
【００１５】
加えて、回転周波数発生手段より出力された信号に対する迷光信号用メモリとを備える。
【発明の効果】
【００１６】
本発明によれば、複数の記録又は再生層を有する光ディスクからの反射光に基づく信号より他層からの迷光成分を検出する手段を備え、検出された迷光信号と光学機構の所望位置からの誤差信号とを演算することで、光学機構を制御するための制御信号より他層からの迷光成分を除去することが可能となる。
【００１７】
それにより、多層ディスクに対して所望の層に正確に記録又は再生を行う光ディスク装置を提供することができる。
【発明を実施するための最良の形態】
【００１８】
以下、本発明を光ディスク装置に採用した実施の形態である、幾つかの実施例について、図面を参照しながら詳細に説明する。
【実施例１】
【００１９】
図１は、本発明の実施例１の光ディスク装置の構成例となるブロック図である。
図１の光ディスク装置において、複数の記録又は再生層を持つ光ディスク１に対して記録又は再生を行い、光学機構である光ピックアップ２は、レーザ発光制御回路３と、レーザ発光制御回路３からの信号に基づいてレーザを発光するレーザ光源４と、光ディスク１に対してレーザ光源４からのレーザ光を集光させる対物レンズ５と、光ディスク１からの反射光を受光するディテクタ６とを備える。
【００２０】
また、対物レンズ５をフォーカス方向に駆動するフォーカスアクチュエータ７と、ディテクタ６からの信号に基づいてフォーカス誤差信号を生成するフォーカス誤差信号検出回路８を備え、フォーカス誤差信号検出回路８からの信号に基づいてフォーカスアクチュエータ７を制御するフォーカス制御回路９およびフォーカスアクチュエータドライバ１０と、フォーカスアクチュエータ７を駆動するためにフォーカス制御回路９に指令を送るコントローラ１２と、フォーカス誤差信号検出回路８からの信号に基づいて他の層からのフォーカス系迷光信号を生成するフォーカス系迷光信号検出回路１１とを備える。
【００２１】
さらに、光ディスク１を回転させるディスクモータ１３と、ディスクモータ１３を制御するディスクモータ制御回路１５およびディスクモータドライバ１６と、ディスクモータ１３の回転角に対応した信号を生成する回転周波数発生回路１４とを備える。また、回転周波数発生回路１４は、ディスクモータ１３の回転角を逓倍した信号を生成することができる。
【００２２】
ここで、フォーカス誤差信号検出回路８は、回転周波数発生回路１４より出力された信号に基づいてフォーカス誤差信号を生成し、また、フォーカス系迷光検出回路１１は、回転周波数発生回路１４より出力された信号に基づいてフォーカス系迷光信号を生成することで、フォーカス制御回路９は、回転周波数発生回路１４より出力された信号に基づき、フォーカス誤差信号とフォーカス系迷光信号とを演算することを特徴とする。
【００２３】
また、フォーカス系迷光検出回路１１は、回転周波数発生回路１４より出力された信号に基づくフォーカス系迷光信号を保存するフォーカス系迷光信号用メモリ２９（図１ではＦ迷光信号用メモリと記す。）を備え、フォーカス系迷光信号用メモリ２９には、ディスクモータ１３の回転角に対応したディスク１の１回転分のフォーカス系迷光信号を保存する。さらに、フォーカス制御回路９は、フォーカス系迷光信号用メモリ２９に保存された前記の回転角毎の信号を読み出し、フォーカス誤差信号検出回路８より出力される同じ回転角にあるフォーカス誤差信号と演算してもよい。また、フォーカス系迷光信号用メモリ２９には、ディスクモータ１３の回転角に対応したディスク１の複数回転分のフォーカス系迷光信号を保存する。ここで、前記の複数回転分のフォーカス系迷光信号は平均化演算し保存してもよい。さらに、フォーカス制御回路９は、フォーカス系迷光信号用メモリ２９に保存された前記の複数回転角毎の信号を読み出し、フォーカス誤差信号検出回路８より出力される同じ回転角にあるフォーカス誤差信号と演算してもよい。
【００２４】
加えて、図９に示すように、前記のフォーカス系迷光検出回路１１でフォーカス系迷光信号を生成する場合にフォーカス系第一フィルタ回路３１を介し、もしくは、前記のフォーカス系迷光信号用メモリ２９に信号を保存する場合に、フォーカス系第二フィルタ回路３２を介してもよい。
【００２５】
続いて図２では、図１に示した光ディスク装置における動作をフローチャートを用いて説明する。
まず、光ディスク装置に光ディスク１が装着されると、コントローラ１２からの指令によりフォーカスアクチュエータ７を介して対物レンズ５をフォーカス方向に駆動する（Ｓ２０１）。その後、フォーカス誤差信号検出回路８では、フォーカス誤差信号が生成され（Ｓ２０２）、また、フォーカス系迷光検出回路１１では、フォーカス系迷光信号が生成される（Ｓ２０３）。さらに、フォーカス制御回路９において、フォーカス誤差信号とフォーカス系迷光信号とを演算することにより迷光分を除去しフォーカス制御信号が生成されて（Ｓ２０４）、光ディスク１上の光スポットが合焦点状態となるように対物レンズ５を所定の位置に制御する。
【００２６】
ここで、フォーカス制御回路９においてフォーカス誤差信号とフォーカス系迷光信号とを演算するタイミングとしては、光ディスク１が装着されてから記録又は再生動作が開始される前、あるいは記録又は再生中、あるいは記録又は再生後に行う。
【００２７】
以上実施例１では、フォーカス制御回路９において、フォーカス誤差信号とフォーカス誤差信号に基づくフォーカス系迷光信号を演算することで、他の層のフォーカス系の迷光成分が除去された所望の層からのフォーカス制御信号を生成することにより、所望の層に対して正確に記録又は再生を行うことができる。
【実施例２】
【００２８】
図３は、本発明の実施例２の光ディスク装置の構成例となるブロック図である。
図３の光ディスク装置において、符号１〜６までと符号１３〜１６までの動作および機能については、実施例１の図１における各符号と同様であるため、それらの説明については省略する。
【００２９】
図３の光ディスク装置は、複数の記録又は再生層を持つ光ディスク１に対して記録又は再生を行い、対物レンズ５をトラッキング方向に駆動するトラッキングアクチュエータ１７と、ディテクタ６からの信号に基づいてトラッキング誤差信号を生成するトラッキング誤差信号検出回路１８を備え、トラッキング誤差信号検出回路１８からの信号に基づいてトラッキングアクチュエータ１７を制御するトラッキング制御回路１９およびトラッキングアクチュエータドライバ２０と、トラッキングアクチュエータ１７を駆動するためにトラッキング制御回路１９に指令を送るコントローラ１２と、トラッキング誤差信号検出回路１８からの信号に基づいて他の層からのトラッキング系迷光信号を生成するトラッキング系迷光信号検出回路２１とを備える。
【００３０】
ここで、トラッキング誤差信号検出回路１８は、回転周波数発生回路１４より出力された信号に基づいてトラッキング誤差信号を生成し、また、トラッキング系迷光検出回路２１は、回転周波数発生回路１４より出力された信号に基づいてトラッキング系迷光信号を生成することで、トラッキング制御回路１９は、回転周波数発生回路１４より出力された信号に基づき、トラッキング誤差信号とトラッキング系迷光信号とを演算することを特徴とする。
【００３１】
また、トラッキング系迷光検出回路２１は、回転周波数発生回路１４より出力された信号に基づくトラッキング系迷光信号を保存するトラッキング系迷光信号用メモリ３０（図３ではT迷光信号用メモリと記す。）を備え、トラッキング系迷光信号用メモリ３０には、ディスクモータ１３の回転角に対応したディスク１の１回転分のトラッキング系迷光信号を保存する。さらに、トラッキング制御回路１９は、トラッキング系迷光信号用メモリ３０に保存された前記の回転角毎の信号を読み出し、トラッキング誤差信号検出回路１８より出力される同じ回転角にあるトラッキング誤差信号と演算してもよい。また、トラッキング系迷光信号用メモリ３０には、ディスクモータ１３の回転角に対応したディスク１の複数回転分のトラッキング系迷光信号を保存する。ここで、前記の複数回転分のトラッキング系迷光信号は平均化演算し保存してもよい。さらに、トラッキング制御回路１９は、トラッキング系迷光信号用メモリ３０に保存された前記の複数回転角毎の信号を読み出し、トラッキング誤差信号検出回路１８より出力される同じ回転角にあるトラッキング誤差信号と演算してもよい。
【００３２】
加えて、図１０に示すように、前記のトラッキング系迷光検出回路２１でトラッキング系迷光信号を生成する場合にトラッキング系第一フィルタ回路３３を介し、もしくは、前記のトラッキング系迷光信号用メモリ３０に信号を保存する場合に、トラッキング系第二フィルタ回路３４を介してもよい。
【００３３】
続いて図４では、図３に示した光ディスク装置における動作をフローチャートを用いて説明する。
まず、光ディスク装置に光ディスク１が装着されると、コントローラ１２からの指令によりディスクモータ１３を介して光ディスク１を回転させる（Ｓ４０１）。その後、トラッキング誤差信号検出回路１８では、トラッキング誤差信号が生成され（Ｓ４０２）、また、トラッキング系迷光検出回路２１では、トラッキング系迷光信号が生成される（Ｓ４０３）。さらに、トラッキング制御回路１９において、トラッキング誤差信号とトラッキング系迷光信号とを演算することにより迷光分を除去しトラッキング制御信号が生成されて（Ｓ４０４）、光ディスク１上の光スポットがトラックを追従状態となるように対物レンズ５を所定の位置に制御する。
【００３４】
ここで、トラッキング制御回路１９においてトラッキング誤差信号とトラッキング系迷光信号とを演算するタイミングとしては、光ディスク１が装着されてから記録又は再生動作が開始される前、あるいは記録又は再生中、あるいは記録又は再生後に行う。
【００３５】
以上実施例２では、トラッキング制御回路１９において、トラッキング制御信号とトラッキング誤差信号に基づくトラッキング系迷光信号を演算することで、他の層からのトラッキング系の迷光成分が除去された所望の層のトラッキング制御信号を生成することにより、所望の層に対して正確に記録又は再生を行うことができる。
【実施例３】
【００３６】
図５は、本発明の実施例３の光ディスク装置の構成例となるブロック図である。
図５の光ディスク装置において、符号１および３〜５までと符号７、９、１０および１２〜１６までの動作および機能については、実施例１の図１における各符号と同様であるため、それらの説明については省略する。
【００３７】
図５の光ディスク装置は、複数の記録又は再生層を持つ光ディスク１に対して記録又は再生を行い、光学機構である信号分割光ピックアップ２２は、対物レンズ５を介して光ディスク１の各層に１つもしくは複数の光スポットを生成する。
【００３８】
また、光ディスク１からの反射光を受光するフォーカス信号分割ディテクタ２３は、光ディスク１の記録面上の複数の光スポットのうちメイン光スポットの反射光に基づいてメイン受光信号を生成し、また、光ディスク１の記録面上の複数の光スポットのうちサブ光スポットの反射光に基づいてサブ受光信号を生成する。
【００３９】
さらに、メイン受光信号とサブ受光信号を演算してフォーカス誤差信号を生成する分割フォーカス誤差信号検出回路２４と、分割フォーカス誤差信号検出回路２４におけるメイン受光信号とサブ受光信号に基づいて他の層からのフォーカス系迷光信号を生成する分割フォーカス系迷光検出回路２５とを備える。
【００４０】
ここで、分割フォーカス誤差信号検出回路２４は、回転周波数発生回路１４より出力された信号に基づいてフォーカス誤差信号を生成し、また、分割フォーカス系迷光検出回路２５は、回転周波数発生回路１４より出力された信号に基づいてフォーカス系迷光信号を生成することで、フォーカス制御回路９は、回転周波数発生回路１４より出力された信号に基づき、フォーカス誤差信号とフォーカス系迷光信号とを演算することを特徴とする。
【００４１】
フォーカス誤差信号とフォーカス系迷光信号とを演算する方法として、例えば、サブ受光信号に他層からの迷光成分が発生する場合には、メイン受光信号とサブ受光信号を演算したフォーカス誤差信号に対して逆位相となるようにサブ受光信号を加算する。
【００４２】
また、分割フォーカス系迷光検出回路２５は、回転周波数発生回路１４より出力された信号に基づくフォーカス系迷光信号を保存するフォーカス系迷光信号用メモリ２９（図５ではＦ迷光信号用メモリと記す。）を備え、フォーカス系迷光信号用メモリ２９には、ディスクモータ１３の回転角に対応したディスク１の１回転分のフォーカス系迷光信号を保存する。さらに、フォーカス制御回路９は、フォーカス系迷光信号用メモリ２９に保存された前記の回転角毎の信号を読み出し、分割フォーカス誤差信号検出回路２４より出力される同じ回転角にあるフォーカス誤差信号と演算してもよい。また、フォーカス系迷光信号用メモリ２９には、ディスクモータ１３の回転角に対応したディスク１の複数回転分のフォーカス系迷光信号を保存する。ここで、前記の複数回転分のフォーカス系迷光信号は平均化演算し保存してもよい。さらに、フォーカス制御回路９は、フォーカス系迷光信号用メモリ２９に保存された前記の複数回転角毎の信号を読み出し、分割フォーカス誤差信号検出回路２４より出力される同じ回転角にあるフォーカス誤差信号と演算してもよい。
【００４３】
加えて、図９に示すように、前記の分割フォーカス系迷光検出回路２５でフォーカス系迷光信号を生成する場合にフォーカス系第一フィルタ回路３１を介し、もしくは、前記のフォーカス系迷光信号用メモリ２９に信号を保存する場合に、フォーカス系第二フィルタ回路３２を介してもよい。
【００４４】
ここで、フォーカス系迷光信号用メモリ２９は、メイン受光信号に基づくフォーカス系迷光信号を保存するメインフォーカス系迷光信号用メモリと、サブ受光信号に基づくフォーカス系迷光信号を保存するサブフォーカス系迷光信号用メモリに分割されていてもよい。
【００４５】
以上実施例３では、フォーカス制御回路９において、メイン受光信号とサブ受光信号に基づくフォーカス誤差信号とフォーカス系迷光信号を演算することで、他の層からのフォーカス系の迷光成分が除去された望の層のフォーカス制御信号を生成することにより、所望の層に対して正確に記録又は再生を行うことができる。
【実施例４】
【００４６】
図６は、本発明の実施例４の光ディスク装置の構成例となるブロック図である。
図６の光ディスク装置において、符号１および３〜５までと符号１２〜１６および１７、１９、２０までの動作および機能については、実施例１の図１および実施例２の図３における各符号と同様であるため、それらの説明については省略する。
【００４７】
図６の光ディスク装置は、複数の記録又は再生層を持つ光ディスク１に対して記録又は再生を行い、光学機構である信号分割光ピックアップ２２は、対物レンズ５を介して光ディスク１の各層に１つもしくは複数の光スポットを生成する。
【００４８】
また、光ディスク１からの反射光を受光するトラッキング信号分割ディテクタ２６は、光ディスク１の記録面上の複数の光スポットのうちメイン光スポットの反射光に基づいてメイン受光信号を生成し、また、光ディスク１の記録面上の複数の光スポットのうちサブ光スポットの反射光に基づいてサブ受光信号を生成する。
【００４９】
さらに、メイン受光信号とサブ受光信号を演算してトラッキング誤差信号を生成する分割トラッキング誤差信号検出回路２７と、分割トラッキング誤差信号検出回路２７におけるメイン受光信号とサブ受光信号に基づいて他の層からのトラッキング系迷光信号を生成する分割トラッキング系迷光検出回路２８とを備える。
【００５０】
ここで、分割トラッキング誤差信号検出回路２７は、回転周波数発生回路１４より出力された信号に基づいてトラッキング誤差信号を生成し、また、分割トラッキング系迷光検出回路２８は、回転周波数発生回路１４より出力された信号に基づいてトラッキング系迷光信号を生成することで、トラッキング制御回路１９は、回転周波数発生回路１４より出力された信号に基づき、トラッキング誤差信号とトラッキング系迷光信号とを演算することを特徴とする。
【００５１】
トラッキング誤差信号とトラッキング系迷光信号とを演算する方法として、例えば、サブ受光信号に他層からの迷光成分が発生する場合には、メイン受光信号とサブ受光信号を演算したトラッキング誤差信号に対して逆位相となるようにサブ受光信号を加算する。
【００５２】
また、分割トラッキング系迷光検出回路２８は、回転周波数発生回路１４より出力された信号に基づくトラッキング系迷光信号を保存するトラッキング系迷光信号用メモリ３０（図６ではT迷光信号用メモリと記す。）を備え、トラッキング系迷光信号用メモリ３０には、ディスクモータ１３の回転角に対応したディスク１の１回転分のトラッキング系迷光信号を保存する。さらに、トラッキング制御回路１９は、トラッキング系迷光信号用メモリ３０に保存された前記の回転角毎の信号を読み出し、分割トラッキング誤差信号検出回路２７より出力される同じ回転角にあるトラッキング誤差信号と演算してもよい。また、トラッキング系迷光信号用メモリ３０には、ディスクモータ１３の回転角に対応したディスク１の複数回転分のトラッキング系迷光信号を保存する。ここで、前記の複数回転分のトラッキング系迷光信号は平均化演算し保存してもよい。さらに、トラッキング制御回路１９は、トラッキング系迷光信号用メモリ３０に保存された前記の複数回転角毎の信号を読み出し、分割トラッキング誤差信号検出回路２７より出力される同じ回転角にあるトラッキング誤差信号と演算してもよい。
【００５３】
加えて、図１０に示すように、前記の分割トラッキング系迷光検出回路２８でトラッキング系迷光信号を生成する場合にトラッキング系第一フィルタ回路３３を介し、もしくは、前記のトラッキング系迷光信号用メモリ３０に信号を保存する場合に、トラッキング系第二フィルタ回路３４を介してもよい。
【００５４】
ここで、トラッキング系迷光信号用メモリ３０は、メイン受光信号に基づくトラッキング系迷光信号を保存するメイントラッキング系迷光信号用メモリと、サブ受光信号に基づくトラッキング系迷光信号を保存するサブトラッキング系迷光信号用メモリに分割されていてもよい。
【００５５】
以上実施例４では、トラッキング制御回路１９において、メイン受光信号とサブ受光信号に基づくトラッキング誤差信号とトラッキング系迷光信号を演算することで、他の層からのトラッキング系の迷光成分が除去された所望の層のトラッキング制御信号を生成することにより、所望の層に対して正確に記録又は再生を行うことができる。
【実施例５】
【００５６】
図７は、本発明の実施例５の光ディスク装置の構成例となるブロック図である。
図７の光ディスク装置において、各符号の動作および機能については、実施例１から実施例４までの各ブロック図における各符号と同様であるため、それらの説明については省略する。
【００５７】
図７の光ディスク装置は、実施例３と実施例４とを組み合わせたものである。
続いて図８では、図７に示した光ディスク装置における動作をフローチャートを用いて説明する。
まず、光ディスク装置に光ディスク１が装着されると、コントローラ１２からの指令によりディスクモータ１３を介して光ディスク１を回転させる（Ｓ８０１）。次に、コントローラ１２からの指令によりフォーカスアクチュエータ７を介して対物レンズ５をフォーカス方向に駆動する（Ｓ８０２）。その後、分離フォーカス誤差信号検出回路２４では、フォーカス誤差信号が生成され（Ｓ８０３）、また、分離フォーカス系迷光検出回路２５では、フォーカス系迷光信号が生成される（Ｓ８０４）。さらに、フォーカス制御回路９において、フォーカス誤差信号とフォーカス系迷光信号とを演算することにより迷光分を除去しフォーカス制御信号が生成されて（Ｓ８０５）、光ディスク１上の光スポットが合焦点状態となるように対物レンズ５を所定の位置に制御する（Ｓ８０６）。その後、分離トラッキング誤差信号検出回路２７では、トラッキング誤差信号が生成され（Ｓ８０７）、また、分離トラッキング系迷光検出回路２８では、トラッキング系迷光信号が生成される（Ｓ８０８）。さらに、トラッキング制御回路１９において、トラッキング誤差信号とトラッキング系迷光信号とを演算することにより迷光分を除去しトラッキング制御信号が生成されて（Ｓ８０９）、光ディスク１上の光スポットがトラック追従状態となるように対物レンズ５を所定の位置に制御する。
【００５８】
ここで、フォーカス制御回路９においてフォーカス誤差信号とフォーカス系迷光信号とを演算するタイミングとしては、光ディスク１が装着されてから記録又は再生動作が開始される前、あるいは記録又は再生中、あるいは記録又は再生後に行う。また、トラッキング制御回路１９においてトラッキング誤差信号とトラッキング系迷光信号とを演算するタイミングとしては、光ディスク１が装着されてから記録又は再生動作が開始される前、あるいは記録又は再生中、あるいは記録又は再生後に行う。
【００５９】
以上実施例５では、フォーカス制御回路９において、メイン受光信号とサブ受光信号に基づくフォーカス誤差信号とフォーカス系迷光信号を演算することで、他の層からのフォーカス系の迷光成分が除去された所望の層のフォーカス制御信号を生成することにより、また、トラッキング制御回路１９において、メイン受光信号とサブ受光信号に基づくトラッキング誤差信号とトラッキング系迷光信号を演算することで、他の層からのトラッキング系の迷光成分が除去された所望の層のトラッキング制御信号を生成することにより、所望の層に対して正確に記録又は再生を行うことができる。
【００６０】
なお、本発明ではメイン受光信号とサブ受光信号を正演算もしくは負演算することができ、さらに、フォーカス系迷光信号あるいはトラッキング系迷光信号を生成する際に、光ディスクから得られる総光量信号やＷｏｂｂｌｅ信号、再生信号を利用してもよい。
【図面の簡単な説明】
【００６１】
【図１】本発明の実施例１における光ディスク装置のブロック図。
【図２】本発明の実施例１におけるフローチャート。
【図３】本発明の実施例２における光ディスク装置のブロック図。
【図４】本発明の実施例２におけるフローチャート。
【図５】本発明の実施例３における光ディスク装置のブロック図。
【図６】本発明の実施例４における光ディスク装置のブロック図。
【図７】本発明の実施例５における光ディスク装置のブロック図。
【図８】本発明の実施例５におけるフローチャート。
【図９】本発明の実施例１、３のフォーカス系迷光検出回路のブロック図。
【図１０】本発明の実施例２、４のトラッキング系迷光検出回路のブロック図。
【図１１】光検出器における受光状態を説明する図。
【符号の説明】
【００６２】
１・・・光ディスク、２・・・光ピックアップ、３・・・レーザ発光制御回路、４・・・レーザ光源、５・・・対物レンズ、６・・・ディテクタ、７・・・フォーカスアクチュエータ、
８・・・フォーカス誤差検出回路、９・・・フォーカス制御回路、
１０・・・フォーカスアクチュエータドライバ、１１・・・フォーカス系迷光検出回路、
１２・・・コントローラ、１３・・・ディスクモータ、１４・・・回転周波数発生回路、
１５・・・ディスクモータ制御回路、１６・・・ディスクモータドライバ、
１７・・・トラッキングアクチュエータ、１８・・・トラッキング誤差信号検出回路、
１９・・・トラッキング制御回路、２０・・・トラッキングアクチュエータドライバ、
２１・・・トラッキング系迷光検出回路、２２・・・信号分割光ピックアップ、
２３・・・フォーカス信号分割ディテクタ、２４・・・分割フォーカス誤差信号検出回路、
２５・・・分割フォーカス系迷光検出回路、２６・・・トラッキング信号分割ディテクタ、
２７・・・分割トラッキング誤差信号検出回路、２８・・・分割トラッキング系迷光検出回路、
２９・・・フォーカス系迷光信号用メモリ、３０・・・トラッキング系迷光信号用メモリ、
３１・・・フォーカス系第一フィルタ回路、３２・・・フォーカス系第二フィルタ回路、
３３・・・トラッキング系第一フィルタ回路、３４・・・トラッキング系第二フィルタ回路。
【図１】
2009116934.tif 000003
【図２】
2009116934.tif 000004
【図３】
2009116934.tif 000005
【図４】
2009116934.tif 000006
【図５】
2009116934.tif 000007
【図６】
2009116934.tif 000008
【図７】
2009116934.tif 000009
【図８】
2009116934.tif 000010
【図９】
2009116934.tif 000011
【図１０】
2009116934.tif 000012
【図１１】
2009116934.tif 000013